(57)【要約】【課題】チャージシェア動作終了後のアンプ出力の変動を抑制することができる信号線駆動回路を提供すること。【解決手段】本発明の一態様に係る信号線駆動回路は、奇数アンプＡＭＰ１１の出力端子と偶数アンプＡＭＰ１２の出力端子との間に設けられたチャージシェアスイッチＳＷ１１と、奇数アンプＡＭＰ１１の出力ノードＳＫ１１と奇数出力端子ＳＫＯＵＴ１１との間に設けられた出力スイッチＳＷ１４と、出力スイッチＳＷ１４と奇数出力端子ＳＫＯＵＴ１１との間の点と、奇数アンプＡＭＰ１１の非反転入力端子との間に設けられたチャージシェアスイッチＳＷ１２と、奇数アンプＡＭＰ１１の入力端子に接続された入力スイッチＳＷ１６とを備える。【選択図】図１
2011027877.tif 000002
【特許請求の範囲】
【請求項１】
第１アンプ及び第２アンプと、
前記第１アンプの出力端子と前記第２アンプの出力端子との間に設けられた第１チャージシェアスイッチと、
前記第１アンプの出力ノードと前記第１アンプの出力端子との間に設けられた第１出力スイッチと、
前記第１出力スイッチと前記第１アンプの出力端子との間の点と、前記第１アンプの入力端子との間に設けられた第２チャージシェアスイッチと、
前記第１アンプの入力端子に接続された第１入力スイッチと、
を備える信号線駆動回路。
【請求項２】
前記第１チャージシェアスイッチ及び前記第２チャージシェアスイッチと、前記第１出力スイッチ及び前記第１入力スイッチとが排他的に導通することを特徴とする請求項１に記載の信号線駆動回路。
【請求項３】
チャージシェア動作中に、前記第１チャージシェアスイッチ及び前記第２チャージシェアスイッチがオンであり、前記第１出力スイッチ及び前記第１入力スイッチがオフであることを特徴とする請求項１に記載の信号線駆動回路。
【請求項４】
前記第１アンプの出力電圧が所定の値以下であるか否かを判定する電圧モニター回路を備え、
前記第１アンプの出力電圧が所定の値以下の場合には、前記第２チャージシェアスイッチをオフ、前記第１入力スイッチをオンとすることを特徴とする請求項１に記載の信号線駆動回路。
【請求項５】
第１アンプ及び第２アンプと、
前記第１アンプの出力端子と前記第２アンプの出力端子との間に設けられた第１チャージシェアスイッチと、
前記第１アンプ内に設けられ、前記第１アンプの出力ノードをハイインピーダンス状態とするスイッチと、
前記第１アンプの出力ノードと前記第１アンプの出力端子との間の点又はチャージシェア用共通線と、前記第１アンプの入力端子との間に設けられた第２チャージシェアスイッチと、
を備える信号線駆動回路。
【請求項６】
チャージシェア動作中に、前記第１チャージシェアスイッチ及び前記第２チャージシェアスイッチがオンであり、前記第１アンプの出力ノードをハイインピーダンス状態とすることを特徴とする請求項５に記載の信号線駆動回路。
【請求項７】
前記第１アンプは、前記第２アンプの出力電圧の反転した電圧を出力することを特徴とする請求項１〜３のいずれか１項に記載の信号線駆動回路。
【請求項８】
請求項１〜７のいずれか１項に記載の信号線駆動回路と、
前記信号線駆動回路に接続された液晶パネルと
を備える液晶表示装置。
【発明の詳細な説明】
【技術分野】
【０００１】
本発明は、信号線駆動回路及び液晶表示装置に関し、特に、チャージシェア動作を行う信号線駆動回路及びこれを用いた液晶表示装置に関する。
【背景技術】
【０００２】
近年、テレビやパソコン用ディスプレイに使用される液晶表示装置の大画面化・高精細化が進んでおり、より多数の差動増幅回路等が搭載されるようになってきている。それに伴い信号線駆動回路には、より大きな負荷を、より高速に、消費電力を抑えたままで、駆動する能力が必要となってきている。
【０００３】
また、チップの増大を招来しないように、信号線駆動回路には出来る限り回路面積の小さな回路で構成されることが求められている。さらに、負荷駆動時のピーク電源電流を抑えて、電源ノイズ対策や低ＥＭＩ（Electro Magnetic Interference）対策をすることも必要になってきている。
【０００４】
特許文献１には、液晶ディスプレイ用信号線駆動回路が開示されている。特許文献１の図７を参考にして、特許文献１に記載の信号線駆動回路について説明する。特許文献１の図７には、この信号線駆動回路の要部の回路構成例が示されている。
【０００５】
この信号線駆動回路では、各チャンネルの駆動部をパラレルに独立させている。各チャンネルの出力アンプ２２は、正極性の電圧範囲と負極性の電圧範囲とで交互に動作する。特許文献１の図７の構成例では、隣り合う一対のチャンネル間に開閉スイッチ３０が接続されている。
【０００６】
特許文献１に記載の技術を説明するため、特許文献１の図７の出力アンプ周辺の構成を図５に示す。また、特許文献１の隣り合う信号線Ｘｊ，Ｘｊ＋１の波形に相当する波形を図６に示す。
【０００７】
図５に示すように、奇数アンプＡＭＰ４１の出力ノードＳＫ４１は、出力スイッチＳＷ４４を介して、奇数出力端子ＳＫＯＵＴ４１に接続され、表示パネル負荷Ｆ４１を駆動する。偶数アンプＡＭＰ４２の出力ノードＳＧ４１は、出力スイッチＳＷ４５を介して、偶数出力端子ＳＧＯＵＴ４１に接続され、表示パネル負荷Ｆ４２を駆動する。
【０００８】
両アンプ出力端子（ＳＫＯＵＴ４１、ＳＧＯＵＴ４１）間には、チャージシェアスイッチＳＷ４１が接続されている。この信号線駆動回路を用いて、液晶パネルをドット反転駆動するときの動作について説明する。１水平期間が終わった後のチャージシェア動作時には、チャージシェアスイッチＳＷ４１がオンし、出力スイッチＳＷ４４、ＳＷ４５がオフする。これと同時に奇数アンプＡＭＰ４１、偶数アンプアンプＡＭＰ４２の入力は、次の水平期間の設定電圧に切り換えられる。
【０００９】
チャージシェア中に、奇数アンプＡＭＰ４１、偶数アンプアンプＡＭＰ４２の出力は設定電位方向に変化していく。負荷のチャージシェア終了後に、チャージシェアスイッチＳＷ４１をオフとし、出力スイッチＳＷ４４、ＳＷ４５をオンとすると、一時的に奇数アンプＡＭＰ４１、偶数アンプアンプＡＭＰ４２のそれぞれの出力電圧≠負荷電圧となる。
【００１０】
この出力電圧と負荷電圧との差は、図６では、チャージシェア動作期間での出力ノードＳＫ４１の到達電圧と出力端子ＳＫＯＵＴ４１の到達電圧との差、また、出力ノードＳＧ４１の到達電圧と出力端子ＳＧＯＵＴ４１の到達電圧との差として現れている。特に、近年のソース出力アンプのスルーレートは速くなってきており、チャージシェア動作期間での到達電圧の差が顕著に現れるようになってきている。
【００１１】
アンプ出力は負荷電圧に引っ張られ、一瞬、降下又は上昇した後、再び各アンプの設定電圧に戻ろうと動作し、大きい回路電流（ＧＮＤ電流）が流れてしまう。これは、図６では、出力ノードＳＫ４１、ＳＧ４１の端子波形、及び、アンプＧＮＤ電流波形の変動として現れている。
【先行技術文献】
【特許文献】
【００１２】
【特許文献１】特開平１１−０９５７２９号公報
【発明の概要】
【発明が解決しようとする課題】
【００１３】
特許文献１に記載の信号線駆動回路では、チャージシェア動作終了後、アンプ出力が変動し、大きい回路電流が流れるという問題がある。
【課題を解決するための手段】
【００１４】
本発明の一態様に係る信号線駆動回路は、第１アンプ及び第２アンプと、前記第１アンプの出力端子と前記第２アンプの出力端子との間に設けられた第１チャージシェアスイッチと、前記第１アンプの出力ノードと前記第１アンプの出力端子との間に設けられた第１出力スイッチと、前記第１出力スイッチと前記第１アンプの出力端子との間の点と、前記第１アンプの入力端子との間に設けられた第２チャージシェアスイッチと、前記第１アンプの入力端子に接続された第１入力スイッチとを備えるものである。
【００１５】
チャージシェア動作時には、第１チャージシェアスイッチ及び第２チャージシェアスイッチをオンとし、これと同時に、第１出力スイッチ及び第１入力スイッチをオフする。これにより、チャージシェア動作終了後に、第１アンプの出力電圧を負荷電圧と等しくすることができる。これにより、チャージシェア動作終了後のアンプの出力の変動を抑制することができ、チャージシェア動作直後に流れる回路電流のピークを小さくすることができる。
【発明の効果】
【００１６】
本発明によれば、チャージシェア動作終了後のアンプ出力の変動を抑制することができる信号線駆動回路及びこれを用いた液晶表示装置を提供することができる。
【図面の簡単な説明】
【００１７】
【図１】実施の形態１に係る信号線駆動回路を用いた液晶表示装置の構成を示す図である。
【図２】図１に示す信号線駆動回路の動作波形を示す図である。
【図３】実施の形態２に係る信号線駆動回路を用いた液晶表示装置の構成を示す図である。
【図４】実施の形態３に係る信号線駆動回路を用いた液晶表示装置の構成を示す図である。
【図５】特許文献１に記載の信号線駆動回路を説明する図である。
【図６】特許文献１に記載の信号線駆動回路の動作波形を説明する図である。
【発明を実施するための形態】
【００１８】
実施の形態１．
本発明の実施の形態１に係る信号線駆動回路を用いた液晶表示装置について、図１を参照して説明する。図１は、本実施の形態に係る信号線駆動回路を用いた液晶表示装置の構成を示す図である。
【００１９】
図１に示すように、本実施の形態に係る信号線駆動回路は、奇数アンプＡＭＰ１１、偶数アンプＡＭＰ１２、チャージシェアスイッチＳＷ１１、ＳＷ１２、ＳＷ１３、出力スイッチＳＷ１４、ＳＷ１５、入力スイッチＳＷ１６、ＳＷ１７を備えている。
【００２０】
本実施の形態において、図５と異なる点は、チャージシェアスイッチＳＷ１２、ＳＷ１３、入力スイッチＳＷ１６、ＳＷ１７を有している点である。なお、チャージシェア用共通線も通常は存在するが、図１に示す回路図においては省略する。
【００２１】
奇数アンプＡＭＰ１１の非反転入力端子には、入力スイッチＳＷ１６が接続されている。奇数アンプＡＭＰ１１の出力ノードＳＫ１１は、出力スイッチＳＷ１４を介して、奇数出力端子ＳＫＯＵＴ１１に接続されている。奇数出力端子ＳＫＯＵＴ１１は、液晶パネルの容量性負荷である負荷Ｆ１１に接続されている。
【００２２】
偶数アンプＡＭＰ１２の非反転入力端子には、入力スイッチＳＷ１７が接続されている。偶数アンプＡＭＰ１２の出力ノードＳＧ１１は、出力スイッチＳＷ１５を介して、偶数出力端子ＳＧＯＵＴ１１に接続されている。偶数出力端子ＳＧＯＵＴ１１は、液晶パネルの容量性負荷である負荷Ｆ１２に接続されている。
【００２３】
両アンプ出力端子（ＳＫＯＵＴ１１、ＳＧＯＵＴ１１）間には、チャージシェアスイッチＳＷ１１が接続されている。チャージシェアスイッチＳＷ１１がオンすることにより、各負荷Ｆ１１、Ｆ１２の電位が均一化される。この負荷Ｆ１１、Ｆ１２の電位の均一化をチャージシェアという。
【００２４】
チャージシェアとは、ある水平期間において液晶パネルの負荷が接続された液晶パネルの信号線に貯まった電荷を利用して、信号線の電位を次の水平期間の設定電位にする前に、あらかじめ信号線に電圧を印加する予備充電を行うものである。このように、チャージシェアを行うことで、より早い時期に所望の設定電位にまで到達させることができ、省電力化を実現することができる。
【００２５】
奇数アンプＡＭＰ１１の非反転入力端子と、奇数出力端子ＳＫＯＵＴ１１との間には、チャージシェアスイッチＳＷ１２が設けられている。チャージシェアスイッチＳＷ１２は、出力スイッチＳＷ１４と奇数出力端子ＳＫＯＵＴ１１との間の中点と、入力スイッチＳＷ１６と奇数アンプＡＭＰ１１の非反転有力端子との間の中点との間に設けられている。
【００２６】
偶数アンプＡＭＰ１２の非反転入力端子と、偶数出力端子ＳＧＯＵＴ１１との間には、チャージシェアスイッチＳＷ１３が設けられている。チャージシェアスイッチＳＷ１３は、出力スイッチＳＷ１５と奇数出力端子ＳＧＯＵＴ１１との間の中点と、入力スイッチＳＷ１７と偶数アンプＡＭＰ１２の非反転有力端子との間の中点との間に設けられている。
【００２７】
チャージシェアスイッチＳＷ１２、ＳＷ１３は、チャージシェア中の負荷Ｆ１１、Ｆ１２側のチャージシェア電位を奇数アンプＡＭＰ１１、ＡＭＰ１２の非反転入力にそれぞれ伝達（帰還）する。
【００２８】
ここで、図２を参照して、この信号線駆動回路を用いて液晶パネルをドット反転駆動するときの動作について説明する。図２は、図１に示す信号線駆動回路の動作波形を示す図である。図２のＳＫ１１は図１の出力ノードＳＫ１１の端子波形を示しており、ＳＧ１１は図１の出力ノードＳＧ１１の端子波形を示している。また、ＳＫＯＵＴ１１は図１の奇数出力端子ＳＫＯＵＴ１１の端子波形を示しており、ＳＧＯＵＴ１１は図１の偶数出力端子ＳＧＯＵＴ１１の端子波形を示している。
【００２９】
図２に示すように、パルス信号であるストロブ信号ＳＴＢの立ち上がりから、次のストロブ信号ＳＴＢの立ち上がりまでの期間が１水平期間である。１つのストロブ信号ＳＴＢの立ち上がりから立ち下がりまでの期間がチャージシェア動作期間である。すなわち、１水平期間の初めに、即ち、水平期間の切り替わりの直後にチャージシェア動作期間が設けられている。
【００３０】
チャージシェア動作時には、チャージシェアスイッチＳＷ１１がオンするとともに、チャージシェアスイッチＳＷ１２、ＳＷ１３がオンする。これと同時に、出力スイッチＳＷ１４、ＳＷ１５及び入力スイッチＳＷ１６、ＳＷ１７がオフする。これにより、負荷Ｆ１１、Ｆ１２側のチャージを奇数アンプＡＭＰ１１、偶数アンプＡＭＰ１２の非反転有力端子に帰還させることができる。
【００３１】
このように動作させることにより、チャージシェア動作中に負荷Ｆ１１、Ｆ１２のチャージシェア電位を奇数アンプＡＭＰ１１、偶数アンプＡＭＰ１２の入力に伝達することができる。すなわち、図２に示すＳＫ１１、ＳＧ１１、ＳＫＯＵＴ１１、ＳＧＯＵＴ１１の電位が略等しくなる。
【００３２】
チャージシェア動作期間終了後、ストロブ信号ＳＴＢの立ち下がりに応じて、チャージシェアスイッチＳＷ１１、ＳＷ１２、ＳＷ１３がオフすると同時に、出力スイッチＳＷ１４、出力スイッチＳＷ１５及び入力スイッチＳＷ１６、ＳＷ１７がオンする。これらのスイッチが切り替わった瞬間には、奇数アンプＡＭＰ１１・偶数アンプＡＭＰ１２の出力電圧＝負荷電圧となる。
【００３３】
入力スイッチＳＷ１６、ＳＷ１７がオンとなることにより、奇数アンプＡＭＰ１１、偶数アンプＡＭＰ１２の入力は前段に設けられた図示しないＤＡコンバータに接続される。その後、奇数アンプＡＭＰ１１、偶数アンプＡＭＰ１２出力は設定電圧へ向けてスムーズに遷移していく。
【００３４】
従来は、チャージシェア中に、奇数アンプＡＭＰ４１、偶数アンプアンプＡＭＰ４２の入力が次の設定電圧に切り換えられていたため、チャージシェア終了後に、一時的に奇数アンプＡＭＰ４１、偶数アンプアンプＡＭＰ４２のそれぞれの出力電圧≠負荷電圧となっていた。
【００３５】
しかしながら、本発明によれば、チャージシェア動作終了後に、奇数アンプＡＭＰ１１・偶数アンプＡＭＰ１２の出力電圧を負荷電圧と等しくすることができる。これにより、チャージシェア動作終了後の奇数アンプＡＭＰ１１、偶数アンプＡＭＰ１２の出力の変動を抑制することができ、チャージシェア動作直後に流れる回路電流（ＧＮＤ電流）のピークを小さくすることができる。
【００３６】
実施の形態２．
本発明の実施の形態２に係る信号線駆動回路を用いた液晶表示装置について、図３を参照して説明する。図３は、本実施の形態に係る信号線駆動回路を用いた液晶表示装置の構成を示す図である。図３において、図１と同一の構成要素には同一の符号を付し、説明を省略する。
【００３７】
図３に示すように、本実施の形態において図１に示す実施の形態１と異なる点は、電圧モニター回路ＣＩＲ３１が設けられている点である。正側ＤＡコンバータＤＡ３１は、反転駆動時の正側の階調電圧を生成する。負側ＤＡコンバータＤＡ３２は、反転駆動時の負側の階調電圧を生成する。
【００３８】
入力切替スイッチＳＷＩＮ３１は、出力反転時に図示しない極性切替信号に応じて、正側ＤＡコンバータＤＡ３１と負側ＤＡコンバータＤＡ３２の出力を入力スイッチＳＷ１６、ＳＷ１７の左側のノードのいずれかに接続する。
【００３９】
具体的には、入力切替スイッチＳＷＩＮ３１は、正側ＤＡコンバータＤＡ３１を入力スイッチＳＷ１６に接続し、負側ＤＡコンバータＤＡ３２と入力スイッチＳＷ１７に接続する状態と、正側ＤＡコンバータＤＡ３１を入力スイッチＳＷ１７に接続し、負側ＤＡコンバータＤＡ３２入力スイッチＳＷ１６に接続する状態とを切り換える。
【００４０】
電圧モニター回路ＣＩＲ３１は、コンパレータＣＯＭ３１、ＣＯＭ３２、リファレンス電源ＶＲ３１、ＶＲ３２を備えている。コンパレータＣＯＭ３１の非反転入力端子にはリファレンス電源ＶＲ３１が接続され、反転入力端子には負側ＤＡコンバータＤＡ３２の出力ＤＡ３２ＯＵＴが入力されている。コンパレータＣＯＭ３１は、出力ＤＡ３２ＯＵＴをリファレンス電源ＶＲ３１と比較し、比較結果を出力する。
【００４１】
コンパレータＣＯＭ３２の非反転入力端子には正側ＤＡコンバータＤＡ３１の出力ＤＡ３１ＯＵＴが入力され、反転入力端子にはリファレンス電源ＶＲ３２が接続されている。コンパレータＣＯＭ３２は、出力ＤＡ３１ＯＵＴをリファレンス電源ＶＲ３２と比較し、比較結果を出力する。
【００４２】
電圧モニター回路ＣＩＲ３１は、コンパレータＣＯＭ３１、ＣＯＭ３２の比較結果に応じて、チャージシェアスイッチＳＷ１２、ＳＷ１３、入力スイッチＳＷ１６、ＳＷ１７を制御する。例えば、ドット反転時の振幅が所定の値よりも大きい場合、すなわち、正側ＤＡコンバータＤＡ３１からの出力ＤＡ３１ＯＵＴと負側ＤＡコンバータＤＡ３２からの出力ＤＡ３２ＯＵＴとのいずれも所定の基準電圧よりも大きい場合には、電圧モニター回路ＣＩＲ３１はＨ信号を出力する。
【００４３】
この場合、チャージシェア動作時には、電圧モニター回路ＣＩＲ３１からのＨ信号に応じて、チャージシェアスイッチＳＷ１２、ＳＷ１３がオンとなり、入力スイッチＳＷ１６、ＳＷ１７がオフとなる。これにより、チャージシェア電圧を奇数アンプＡＭＰ１１、偶数アンプＡＭＰ１２の非反転入力端子に帰還させることができる。これにより、チャージシェア動作直後に流れる回路電流（ＧＮＤ電流）のピークを小さくすることができる。
【００４４】
一方、ドット反転時の振幅が所定の値以下である場合、すなわち、正側ＤＡコンバータＤＡ３１からの出力ＤＡ３１ＯＵＴと負側ＤＡコンバータＤＡ３２からの出力ＤＡ３２ＯＵＴの少なくともいずれか一方が所定の基準電圧以下である場合には、電圧モニター回路ＣＩＲ３１はＬ信号を出力する。
【００４５】
この場合、チャージシェア動作時には、電圧モニター回路ＣＩＲ３１からのＬ信号に応じて、チャージシェアスイッチＳＷ１２、ＳＷ１３とオフとなり、入力スイッチＳＷ１６、ＳＷ１７をオンとなる。これにより、チャージシェア電圧を奇数アンプＡＭＰ１１、偶数アンプＡＭＰ１２の非反転入力端子に帰還させないようにすることができる。
【００４６】
通常、ドット反転時に振幅が小さい場合には、ＧＮＤ電流は小さい。従って、この場合には、チャージシェア電圧を奇数アンプＡＭＰ１１、偶数アンプＡＭＰ１２の入力端子に帰還させない。このように、アンプ入力端子にチャージシェア電圧を帰還させる機能をオフすることで、低振幅時のアンプのスルーレートを速くすることができる。
【００４７】
このように、階調電圧の大きさによって、電圧モニター回路ＣＩＲ３１を用いて、アンプ入力端子にチャージシェア電圧を帰還させる機能をオン／オフさせることで、電源ノイズ、ＥＭＩ対策を優先とするか、駆動性能を優先するかを切り換えることができる。
【００４８】
実施の形態３．
本発明の実施の形態３に係る信号線駆動回路を用いた液晶表示装置について、図４を参照して説明する。図４は、本実施の形態に係る信号線駆動回路を用いた液晶表示装置の構成を示す図である。
【００４９】
本実施の形態に係る信号線駆動回路は、アンプ正入力端子ＩＮＰ５１、バイアス電源ＢＮ５１、バイアス電源ＢＰ５１、電源ＶＤＤ２、アンプ負入力端子ＩＮＮ５１、定電流源ＩＣＳ５１、ＩＣＳ５２、ＩＣＳ５３、浮遊電流源ＩＣＳ５４、位相補償容量Ｃ５１、位相補償容量Ｃ５２、スイッチＳＷ５２、ＳＷＨＩＺ５１、ＳＷＨＩＺ５２、ＳＷＨＩＺ５３、ＳＷＨＩＺ５４、アンプ出力端子ＯＵＴ５１を備えている。
【００５０】
アンプ出力端子ＯＵＴ５１は、液晶パネルの負荷Ｆ５１に接続されている。本実施の形態では、図１に示すチャージシェア中に負荷とアンプ出力を切り離すための出力スイッチＳＷ１４、ＳＷ１５を削除し、アンプ内にスイッチＳＷＨＩＺ５１、ＳＷＨＩＺ５２、ＳＷＨＩＺ５３、ＳＷＨＩＺ５４を設けている。これにより、チャージシェア動作中にアンプ出力端子ＯＵＴ５１をハイインピーダンス状態にすることができる。
【００５１】
なお、ここでは図示していないが、図１と同様に、奇数アンプと偶数アンプのそれぞれの出力端子ＯＵＴ間には、チャージシェアスイッチが設けられている。チャージシェアスイッチとアンプ出力端子ＯＵＴ５１との中点とアンプ正入力端子ＩＮＰ５１との間に、チャージシェアスイッチＳＷ５２が設けられている。チャージシェアスイッチＳＷ５２は、図１のチャージシェアスイッチＳＷ１２、ＳＷ１３に相当する。
【００５２】
チャージシェア動作中には、スイッチＳＷＨＩＺ５１、ＳＷＨＩＺ５２、ＳＷＨＩＺ５３、ＳＷＨＩＺ５４を用いて、ハイインピーダンス状態にすると共に、チャージシェアスイッチＳＷ５２をオンとする。これにより、負荷Ｆ５１側のチャージを、アンプ正入力端子ＩＮＰ５１に帰還させることができる。
【００５３】
これにより、上記の実施の形態と同様に、チャージシェア動作終了後に奇数・偶数アンプの出力電圧と負荷の電圧が競合することがないため、アンプ出力はチャージシェア後の電圧からスムーズに次の設定電圧に向け変化し、急峻なＧＮＤ電流もしくは高電位側の電源電流が流れることがない。また、本実施の形態では、アンプ出力と負荷Ｆ５１の間のスイッチを取り除いたことにより、チャージシェア後のスルーレートを早くすることができる。
【００５４】
なお、実施の形態３では、チャージシェアスイッチＳＷ５２を、アンプ出力端子ＯＵＴ５１と出力端子ＯＵＴとの間の中点とアンプ正入力端子ＩＮＰ５１との間に設けたが、これに限定されるものではない。チャージシェアスイッチＳＷ５２を図示しないチャージシェア用共通線とアンプ正入力端子ＩＮＰ５１との間に設けてもよい。
【００５５】
以上説明したように、本発明によれば、簡単な回路により、チャージシェア動作時にアンプ出力電圧と負荷電圧を同じ電圧にすることができる。これにより、チャージシェア動作直後に流れる回路電流のピークを小さくすることができ、ＥＭＩ、電源ノイズを低減させることができる。また、階調電圧に応じて、電源ノイズ、ＥＭＩ対策を優先とするか、駆動性能を優先とするかを切り換えることが可能である。
【００５６】
なお、本発明は上記実施の形態に限られたものではなく、趣旨を逸脱しない範囲で適宜変更することが可能である。本実施の形態では、奇数アンプＡＭＰ１１と偶数アンプＡＭＰ１２との間にチャージシェアスイッチＳＷ１１を設ける例について説明したが、これに限定されるものではない。奇数列目、偶数列目に係わらず、正側の階調電圧を伝送するデータ線と、負側の階調電圧を伝送するデータ線との間にチャージシェアスイッチを設けることが可能である。
【００５７】
なお、図１では説明の便宜上省略しているが、図１に示す信号線駆動回路においても図３の正側ＤＡコンバータＤＡ３１、負側ＤＡコンバータＤＡ３２、入力切替スイッチＳＷＩＮ３１が設けられている。出力反転時には、図示しない極性切替信号に応じて、正側／負側のＤＡコンバータＤＡ３１、ＤＡ３２の出力を、入力スイッチＳＷ１６、入力スイッチＳＷ１７に切替入力する。
【符号の説明】
【００５８】
ＡＭＰ１１  奇数アンプ
ＡＭＰ１２  偶数アンプ
ＳＷ１１、ＳＷ１２、ＳＷ１３  チャージシェアスイッチ
ＳＷ１４、ＳＷ１５  出力スイッチ
ＳＷ１６、ＳＷ１７  入力スイッチ
ＳＫ１１、ＳＧ１１  出力ノード
ＳＫＯＵＴ１１  奇数出力端子
ＳＧＯＵＴ１１  偶数出力端子
Ｆ１１、Ｆ１２、Ｆ５１  負荷
ＣＩＲ３１  電圧モニター回路
ＤＡ３１  正側ＤＡコンバータ
ＤＡ３２  負側ＤＡコンバータ
ＳＷＩＮ３１  入力切替スイッチ
ＣＯＭ３１、ＣＯＭ３２  コンパレータ
ＶＲ３１、ＶＲ３２  リファレンス電源
ＩＮＰ５１  アンプ正入力端子
ＢＮ５１、ＢＰ５１  バイアス電源
ＶＤＤ２  電源
ＩＮＮ５１  アンプ負入力端子
ＩＣＳ５１、ＩＣＳ５２、ＩＣＳ５３  定電流源
ＩＣＳ５４  浮遊電流源
Ｃ５１、Ｃ５２  位相補償容量
ＳＷＨＩＺ５１、ＳＷＨＩＺ５２、ＳＷＨＩＺ５３、ＳＷＨＩＺ５４  スイッチ
ＯＵＴ５１  アンプ出力端子
【図１】
2011027877.tif 000003
【図２】
2011027877.tif 000004
【図３】
2011027877.tif 000005
【図４】
2011027877.tif 000006
【図５】
2011027877.tif 000007
【図６】
2011027877.tif 000008